(57)【要約】      （修正有）【課題】器具本体の天井側の面に、複数のクッション部材が設けられ、複数のクッション部材（緩衝部材）が互いに非常に離れて設けられ、隣接するクッション部材の間に存在する隙間とクッション部材の両方が見えてしまうが見えてしまうことを防ぎ見栄えをよくする照明装置を提供する。【解決手段】照明装置１０は、基台１と、複数の緩衝部材８と、を備える。基台１は、発光部２を支持する。複数の緩衝部材８は、基台１における発光部２とは反対側の面に設けられている。複数の緩衝部材８は、基台１の全周に亘って並んで設けられている。【選択図】図１
2020047391.tif 000002
【特許請求の範囲】
【請求項１】
発光部を支持する基台と、
前記基台における前記発光部とは反対側の面に設けられた複数の緩衝部材と、を備え、
前記複数の緩衝部材は、前記基台の全周に亘って並んで設けられている、
照明装置。
【請求項２】
前記複数の緩衝部材の各々は、隣接する緩衝部材と隙間を空けて位置する、
請求項１に記載の照明装置。
【請求項３】
前記複数の緩衝部材の各々は、前記基台の周方向における両端に第１端面及び第２端面を有し、
前記第１端面及び前記第２端面の少なくとも一方は傾斜面である、
請求項２に記載の照明装置。
【請求項４】
前記第１端面と前記第２端面とがなす角度は９０度である、
請求項３に記載の照明装置。
【請求項５】
前記隣接する２つの緩衝部材のうちの一方の緩衝部材の前記第１端面と他方の緩衝部材の前記第２端面とは平行である、
請求項３又は４に記載の照明装置。
【請求項６】
前記複数の緩衝部材の各々において、前記基台の周方向の一端側における内側面と外側面との間の距離は、前記基台の周方向の他端側における内側面と外側面との間の距離よりも短い、
請求項１〜５のいずれか１項に記載の照明装置。
【発明の詳細な説明】
【技術分野】
【０００１】
本開示は、照明装置に関する。より詳細には、本開示は、複数の緩衝部材を備える照明装置に関する。
【背景技術】
【０００２】
従来、住宅などの建物の造営材に設置される照明器具が知られている（例えば特許文献１参照）。特許文献１に記載の照明器具は、器具本体と、複数の発光モジュールと、光源カバーと、導光板と、外郭カバーと、を備える。
【０００３】
器具本体は、複数の発光モジュールを支持するための筐体である。複数の発光モジュールは、環状になるように、互いに隣接して配置される。光源カバーは、発光モジュールに設けられた複数の第１発光素子を覆い、複数の第１発光素子が発した光を透過させる。導光板は、リング状に形成され、複数の第２発光素子の各々から出射する光を照明器具の外部に導光する。外郭カバーは、照明器具の外郭を構成するカバーであって、器具本体、発光モジュール及び光源カバーを覆う。
【０００４】
また、特許文献１に記載の照明器具では、器具本体の天井側の面に、複数のクッション部材が設けられている。複数のクッション部材は、器具本体の周方向に沿って等間隔（９０度間隔）で配置されている。複数のクッション部材は、照明器具が天井に設置された際に、器具本体と天井との間に挟み込まれる。
【先行技術文献】
【特許文献】
【０００５】
【特許文献１】特開２０１８−１０７０２８号公報
【発明の概要】
【発明が解決しようとする課題】
【０００６】
特許文献１に記載の照明器具（照明装置）では、複数のクッション部材（緩衝部材）が互いに非常に離れて設けられているので、隣接するクッション部材の間に存在する隙間が見えてしまうという問題があった。つまり、クッション部材と隙間との両方が見えてしまう。
【０００７】
本開示の目的は、見栄えをよくすることができる照明装置を提供することにある。
【課題を解決するための手段】
【０００８】
本開示の一態様に係る照明装置は、基台と、複数の緩衝部材と、を備える。前記基台は、発光部を支持する。前記複数の緩衝部材は、前記基台における前記発光部とは反対側の面に設けられている。前記複数の緩衝部材は、前記基台の全周に亘って並んで設けられている。
【発明の効果】
【０００９】
本開示によれば、見栄えをよくすることができる、という効果がある。
【図面の簡単な説明】
【００１０】
【図１】図１は、一実施形態に係る照明装置の分解斜視図である。
【図２】図２は、同上の照明装置の斜視図である。
【図３】図３は、同上の照明装置の基板及び発光部の平面図である。
【図４】図４Ａは、同上の照明装置の複数の緩衝部材の正面図である。図４Ｂは、同上の照明装置の複数の緩衝部材の側面図である。
【図５】図５Ａは、同上の照明装置の緩衝部材の正面図である。図５Ｂは、同上の照明装置の緩衝部材の側面図である。
【発明を実施するための形態】
【００１１】
以下に説明する実施形態及び変形例は、本開示の一例に過ぎない。本開示は、実施形態及び変形例に限定されることなく、この実施形態及び変形例以外であっても、本開示に係る技術的思想を逸脱しない範囲であれば、設計等に応じて種々の変更が可能である。下記の実施形態及び変形例において説明する各図は模式的な図であり、図中の各構成要素の大きさ及び厚さそれぞれの比が必ずしも実際の寸法比を反映しているとは限らない。
【００１２】
（実施形態）
（１）照明装置の全体構成
以下、本実施形態に係る照明装置１０の全体構成について、図１及び図２を参照して説明する。
【００１３】
本実施形態に係る照明装置１０は、図１に示すように、基台１と、発光部２と、カバー３と、導光部材４と、固定部材５と、を備えている。さらに、照明装置１０は、反射部材６と、取付部材７と、複数の緩衝部材８と、パッキン９１，９２と、を備えている。
【００１４】
本実施形態に係る照明装置１０は、例えば、建物の天井に固定されるシーリングライトである。具体的には、照明装置１０は、天井に固定された引っ掛けシーリングに取り付けられることによって天井に固定される。本実施形態では、建物が戸建て住宅である場合を例示する。ただし、建物は戸建て住宅に限らず、例えば、集合住宅の各住戸であってもよいし、工場、病院、テナントビル等の非住宅であってもよい。
【００１５】
（２）照明装置の各構成要素
以下、本実施形態に係る照明装置１０の各構成要素について、図１〜図５Ｂを参照して説明する。
【００１６】
（２．１）基台
基台１は、図１に示すように、第１部材１１と、第２部材１２と、を含む。第１部材１１及び第２部材１２は、例えば、アルミニウム板又は鋼板等の板金をプレス加工することによって所定の形状に形成されている。
【００１７】
第１部材１１は、一面（第２部材１２側の面）が開口した扁平な円筒状に形成されている。第１部材１１は、底壁部１１２と、側壁部１１３と、を有する。第１部材１１の側壁部１１３は、第２部材１２に近づくほど開口径が大きくなるように傾斜している。第１部材１１の底壁部１１２の中央には、円形の貫通孔１１１が設けられている。
【００１８】
第２部材１２は、第１部材１１側から見て、円形の板状に形成されている。第２部材１２の外径は、第１部材１１の開口径よりも大きい。したがって、第１部材１１と第２部材１２とを組み合わせた状態では、第１部材１１の（下面）開口が第２部材１２によって塞がれる。第２部材１２の中央には、第１部材１１側に凹む円形の凹部１２１が設けられている。凹部１２１の底壁部１２３には、円形の貫通孔１２２が設けられている。貫通孔１２２の開口径は、第１部材１１の貫通孔１１１の開口径よりも小さい。
【００１９】
（２．２）発光部
発光部２は、図１に示すように、実装基板２１と、反射部材２５と、光学部材２６と、を含む。
【００２０】
実装基板２１は、例えば、ガラスエポキシ樹脂からなるプリント配線板である。実装基板２１は、基台１側から見て、矩形の板状に形成されている。実装基板２１の中央には、円形の貫通孔２１０が設けられている。貫通孔２１０は、後述する取付部材７の第１部材７１が挿通可能な大きさに形成されている。実装基板２１は、第１面２１１と、第２面２１２と、を有している。本実施形態では、第１面２１１は、基台１と反対側の面（図１の下面）である。また、第２面２１２は、基台１側の面（図１の上面）であって、実装基板２１における第１面２１１と反対側の面である。
【００２１】
実装基板２１の第１面２１１には、図３に示すように、複数の第１発光素子２２及び複数の第２発光素子２３が実装されている。言い換えると、発光部２は、第１発光素子２２及び第２発光素子２３が実装されている実装基板２１を有している。本実施形態では、第１発光素子２２及び第２発光素子２３は、例えば、表面実装（Surface Mount Device：ＳＭＤ）型の発光ダイオード（Light Emitting Diode：ＬＥＤ）である。
【００２２】
また、実装基板２１の第２面２１２には、図３に示すように、回路素子２４が実装されている。回路素子２４は、例えば、複数の第１発光素子２２及び複数の第２発光素子２３の点灯電力を生成する電源回路２００を構成する素子である。
【００２３】
反射部材２５は、図１に示すように、例えば、鋼板等の板金をプレス加工することによって一面（実装基板２１側の面）が開口した扁平な円筒状に形成されている。反射部材２５の底壁部２５３の中央には、円形の貫通孔２５１が設けられている。貫通孔２５１は、取付部材７の第１部材７１が挿通可能な大きさに形成されている。また、反射部材２５の底壁部２５３の外縁には、矩形の貫通孔２５２が設けられている。反射部材２５は、例えば、固定ネジを用いて実装基板２１に固定される。反射部材２５の側壁部２５４及び底壁部２５３は、複数の第１発光素子２２からの光を照明空間Ｓ１（図２参照）に向けて反射させる。
【００２４】
光学部材２６は、図１に示すように、例えば、アクリル樹脂等の光透過性を有する合成樹脂により円環状に形成されている。光学部材２６は、本体部２６１と、複数（図１では３つ）のレンズ部２６２と、を有している。複数のレンズ部２６２は、本体部２６１の周方向に沿って等間隔に設けられている。複数のレンズ部２６２の各々は、本体部２６１の一面（実装基板２１と反対側の面）から半球状に突出しており、本体部２６１の周方向に沿って所定長さに形成されている。光学部材２６が実装基板２１に取り付けられた状態では、複数のレンズ部２６２と複数の第１発光素子２２とが対向している。
【００２５】
（２．３）カバー
図１に示すカバー３は、例えば、アクリル等の光透過性を有する合成樹脂により形成されている。カバー３は、一面（導光部材４側の面）が開口した扁平な円筒状に形成されている。カバー３は、主面３１と、側面３２と、を有している。主面３１は、導光部材４側から見て、円形に形成されている。側面３２は、主面３１の外縁から導光部材４に近づく向きに延びており、導光部材４に近づくほど開口径が大きくなるように傾斜している。
【００２６】
さらに、カバー３は、複数（例えば、４つ）のカバー側固定部を有している。複数のカバー側固定部は、主面３１の周方向に沿って等間隔に設けられている。複数のカバー側固定部の各々は、主面３１の厚さ方向から見て、矩形の板状であって、主面３１の周方向に沿って所定長さに形成されている。また、各カバー側固定部は、主面３１の厚さ方向から見て、主面３１の径方向に凹む溝を有している。本実施形態では、カバー３は、主面３１及び側面３２の内表面に施された微細な凹凸によって、光拡散性を有している。なお、カバー３の材料はアクリルに限らず、例えば、ポリカーボネート等であってもよい。
【００２７】
（２．４）導光部材
導光部材４は、例えば、アクリル等の光透過性を有する合成樹脂により形成されている。導光部材４は、図１に示すように、導光パネル４１と、ガイド部４２と、複数（図１では２つのみ図示）の取付部４３と、を有している。ガイド部４２は、一端（図１の上端）から他端（図１の下端）に向かって開口径が徐々に大きくなるような円筒状に形成されている。導光パネル４１は、円環状に形成されている。導光パネル４１は、その内周縁においてガイド部４２と一体に形成されている。複数の取付部４３は、ガイド部４２の一端側の開口縁において周方向に沿って等間隔に設けられている。複数の取付部４３の各々は、半円状に形成された挿通溝４３０を有している。挿通溝４３０には、固定部材５を基台１に固定するための固定ねじが挿通される。
【００２８】
照明装置１０を組み立てた状態では、導光部材４のガイド部４２の一端側の端面（以下、「第１端面」ともいう）が、実装基板２１に実装されている複数の第２発光素子２３と対向している。複数の第２発光素子２３から発せられた光は、第１端面からガイド部４２内に入射し、ガイド部４２内を通って導光パネル４１へと導光される。導光パネル４１に導光された光は、導光パネル４１の主面（図１の上面４１１及び下面４１２）から外部に照射される。
【００２９】
（２．５）固定部材
図１に示す固定部材５は、例えば、ポリカーボネート等の合成樹脂により形成されている。固定部材５は、一端（図１の上端）から他端（図１の下端）に向かって開口径が徐々に大きくなるような円筒状に形成されている。固定部材５は、基部５０と、複数（図１では２つのみ図示）の部材用固定部５１と、を有している。複数の部材用固定部５１は、基部５０の一端側の開口縁において、周方向に沿って等間隔に設けられている。複数の部材用固定部５１の各々は、半円状に形成された挿通溝を有している。挿通溝には、固定部材５を基台１に固定するための固定ねじが挿通される。
【００３０】
固定部材５は、複数（図１では２つ）のカバー用固定部５２を更に有している。複数のカバー用固定部５２は、基部５０の他端側の外縁において、周方向に沿って等間隔に設けられている。複数のカバー用固定部５２の各々は、固定部材５の周方向に沿って延びる板状の撓み片５２０を有している。撓み片５２０の先端には、平面視で三角状に形成された突起が一体に形成されている。撓み片５２０は、固定部材５の径方向に撓み可能である。
【００３１】
また、固定部材５は、複数（図４Ｂでは４つ）のガイド片５３を更に有している。複数のガイド片５３は、基部５０の他端側の外縁において、周方向に沿って等間隔に設けられている。複数のガイド片５３の各々は、固定部材５の周方向に沿って所定長さに形成されている。複数のガイド片５３のうち２つのガイド片５３は、上述した２つのカバー用固定部５２に繋がっている。また、複数のガイド片５３のうち隣接する２つのガイド片５３間には、溝５４が設けられている。本実施形態では、固定部材５は、複数の溝５４を有している。
【００３２】
ここで、固定部材５にカバー３を取り付ける場合について簡単に説明する。まず、カバー３の開口側を固定部材５側に向けた状態で固定部材５にカバー３を組み合わせる。このとき、カバー３と固定部材５とが並ぶ方向において、複数のカバー側固定部の位置と複数の溝５４の位置とを合わせる。この状態から、固定部材５に対してカバー３を一方向に回転させると、複数のカバー側固定部の各々が、対応するガイド片５３に沿って移動する。そして、固定部材５に対してカバー３を所定位置まで回転させると、カバー３が固定部材５に取り付けられる。このとき、複数のカバー側固定部のうち２つのカバー側固定部は、撓み片５２０の突起に接触しながら移動し、カバー３が上記所定位置に達した状態ではカバー側固定部の溝内に撓み片５２０の突起が挿入される。
【００３３】
なお、固定部材５の材料はポリカーボネートに限らず、例えば、ＡＢＳ（AcrylonitrileButadiene Styrene）等であってもよい。
【００３４】
（２．６）反射部材
反射部材６は、図１に示すように、例えば、ポリスチレン等の合成樹脂によりリング状に形成されている。反射部材６は、反射部６１と、側壁部６２と、を有している。反射部６１は、一端（図１の上端）から他端（図１の下端）に向かって開口径が徐々に大きくなるような円筒状に形成されている。反射部６１は、複数（図１では３つ）の取付部６３を有している。複数の取付部６３は、反射部６１の周方向に沿って等間隔に設けられている。反射部材６は、複数の取付部６３を介して基台１に取り付けられる。側壁部６２は、反射部６１の他端側の開口縁から延びており、導光部材４から離れるほど開口径が大きくなるように傾斜している。反射部材６は、反射部６１が反射面として機能するように構成されている。
【００３５】
照明装置１０を組み立てた状態では、導光部材４のガイド部４２と反射部材６の反射部６１とが対向している。反射部６１は、ガイド部４２内を通過する光のうち、ガイド部４２から外部に漏れた光をガイド部４２側へ反射させる。
【００３６】
（２．７）取付部材
取付部材７は、図１に示すように、第１部材７１と、第２部材７２と、を含む。第１部材７１は、例えば、ポリプロピレン等の合成樹脂により形成されている。第１部材７１は、筒状部７１１と、鍔部７１２と、を有している。筒状部７１１は、両端（図１の上端及び下端）が開口した円筒状に形成されている。鍔部７１２は、筒状部７１１の一端（図１の上端）側の開口縁から全周に亘って外向きに突出している。
【００３７】
第２部材７２は、例えば、ポリブチレンテレフタレート等の合成樹脂により形成されている。第２部材７２は、筒状部７２１と、鍔部７２２と、を有している。筒状部７２１は、一端（図１の下端）が開口した円筒状に形成されている。鍔部７２２は、筒状部７２１の他端（図１の上端）から全周に亘って外向きに突出している。筒状部７２１の外径は筒状部７１１の内径よりも小さく、第１部材７１と第２部材７２とを組み合わせた状態では、筒状部７２１が筒状部７１１内に挿入される。
【００３８】
取付部材７は、天井に固定された引っ掛けシーリングに取り付けられたアダプタに取り付けられることで、引っ掛けシーリングに対して電気的かつ機械的に接続される。
【００３９】
なお、第１部材７１の材料はポリプロピレンに限らず、例えば、ＡＢＳ等であってもよい。また、第２部材７２の材料はポリブチレンテレフタレートに限らず、例えば、シリコーン等であってもよい。
【００４０】
（２．８）パッキン
パッキン９１，９２は、図１に示すように、例えば、シリコーン樹脂等の合成樹脂によりリング状に形成されている。パッキン９１は、導光部材４と反射部材６との間に配置され、導光部材４と反射部材６との隙間を密閉する。パッキン９２は、カバー３と固定部材５との間に配置され、カバー３と固定部材５との隙間を密閉する。
【００４１】
（２．９）緩衝部材
図１に示す複数（図１では４つ）の緩衝部材８の各々は、例えば、ポリウレタン等の合成樹脂により形成されている。複数の緩衝部材８の各々は、平面視で円弧状に形成されている。
【００４２】
複数の緩衝部材８は、図１及び図２に示すように、基台１に設けられている。より詳細には、複数の緩衝部材８は、基台１における発光部２とは反対側の面に設けられている。具体的には、各緩衝部材８は、基台１の第１部材１１の底面部１１４に設けられている。
【００４３】
複数の緩衝部材８は、図１及び図４Ａに示すように、照明装置１０を上方から見たときに、基台１の全周に亘って並んで設けられている。本実施形態では、基台１の第１部材１１が円筒状に形成されているから、複数の緩衝部材８は、環状となるように、互いに隣接して配置されている。
【００４４】
ここで、本明細書における「複数の緩衝部材８が全周に亘って並んで設けられている」状態とは、基台１の周方向において、複数の緩衝部材８が互いに接触して設けられている状態と、基台１の周方向において、複数の緩衝部材８が互いに離隔して設けられている状態とを含む概念である。「基台１の周方向において、複数の緩衝部材８が互いに離隔して設けられている」状態とは、例えば、基台１の周方向において、緩衝部材８の長さＬ１よりも短い間隔Ｌ２で、複数の緩衝部材８が互いに隣接して設けられている状態をいう。なお、緩衝部材の長さよりも長い間隔で、複数の緩衝部材が互いに隣接して設けられている状態は、本明細書における「基台１の周方向において、複数の緩衝部材８が互いに離隔して設けられている」状態には含まれない。
【００４５】
緩衝部材８の長さＬ１は、複数の緩衝部材８が円状に設けられている場合、後述の第２端面８２における内側面８３と外側面８４との間の中間位置を通る円Ｃ１上における緩衝部材８が位置する部分の弧の長さである。一方、間隔Ｌ２は、複数の緩衝部材８が円状に設けられている場合、第２端面８２における内側面８３と外側面８４との間の中間位置を通る円Ｃ１上における２つの緩衝部材８の間の距離である。円Ｃ１は、点Ｏ１を中心とする円である。
【００４６】
図４Ａ及び図４Ｂに示す例では、複数の緩衝部材８は、隣接する緩衝部材８同士が隙間Ｓ２を空けて位置するように、基台１の全周に亘って並んで設けられている。つまり、複数の緩衝部材８の各々は、隣接する緩衝部材８と隙間Ｓ２を空けて位置する。隙間Ｓ２の間隔Ｌ２は、緩衝部材８の長さＬ１に比べて非常に短い。長さＬ１に対する間隔Ｌ２の比は、１０分の１以下であることが好ましい。より好ましくは、長さＬ１に対する間隔Ｌ２の比は、２０分の１である。
【００４７】
複数の緩衝部材８の各々は、第１端面８１と、第２端面８２と、を有する。第１端面８１及び第２端面８２は、基台１の周方向における両端に形成されている。言い換えると、第１端面８１及び第２端面８２は、緩衝部材８の長手方向における両端面である。
【００４８】
各緩衝部材８において、第１端面８１及び第２端面８２は、図５Ａ及び図５Ｂに示すように、傾斜面である。より詳細には、第１端面８１及び第２端面８２は、互いに異なる角度で傾斜している。
【００４９】
ここで、本明細書における「第１端面８１及び第２端面８２が傾斜している」とは、第１端面８１及び第２端面８２と円Ｃ１の半径とが交差することをいう。つまり、本明細書における「第１端面８１及び第２端面８２が傾斜している」とは、第１端面８１及び第２端面８２と円Ｃ１の半径とがなす角度が０度よりも大きいことをいう。言い換えると、第１端面８１及び第２端面８２は、円Ｃ１の半径と平行ではない。
【００５０】
また、各緩衝部材８において、第１端面８１と第２端面８２とがなす角度θ１は９０度である。さらに、図４Ａに示すように、隣接する２つの緩衝部材８のうちの一方の緩衝部材８の第１端面８１と他方の緩衝部材８の第２端面８２とは平行である。
【００５１】
複数の緩衝部材８の各々は、図５Ａ及び図５Ｂに示すように、内側面８３と、外側面８４と、を更に有する。内側面８３の曲率半径は、外側面８４の曲率半径と同じである。これにより、各緩衝部材８において、基台１の周方向の一端側における内側面８３と外側面８４との間の距離Ｄ１は、基台１の周方向の他端側における内側面８３と外側面８４との間の距離Ｄ２よりも短い。
【００５２】
各緩衝部材８の高さは、例えば２０ｍｍである。なお、各緩衝部材８の高さは、２０ｍｍに限定されず、２０ｍｍ未満であってもよいし、２０ｍｍを超えてもよい。また、各緩衝部材８は、第１端面８１に凹部８５が形成されている。
【００５３】
複数の緩衝部材８は、照明装置１０が造営材（例えば、天井）に設置された際に、基台１と造営材との間に挟み込まれる。
【００５４】
（３）変形例
以下、本実施形態の変形例について説明する。
【００５５】
本実施形態の変形例１として、複数の緩衝部材８の各々において、第１端面８１及び第２端面８２の両方が傾斜面であることに限定されず、第１端面８１のみが傾斜面であってもよいし、第２端面８２が傾斜面であってもよい。要するに、各緩衝部材８において、第１端面８１及び第２端面８２の少なくとも一方が傾斜面であればよい。
【００５６】
本実施形態の変形例２として、複数の緩衝部材８の各々において、第１端面８１と第２端面８２とがなす角度は、９０度であることに限定されず、９０度以外であってもよい。
【００５７】
本実施形態の変形例３として、複数の緩衝部材８において、隣接する２つの緩衝部材８は、隙間Ｓ２を空けて完全に離隔して設けられていることに限定されず、例えば接続片を介して一部同士が接続されていてもよい。上記接続片は、例えば、緩衝部材８よりも幅の狭い部材である。
【００５８】
本実施形態では、照明装置１０が丸型のシーリングライトであるが、本実施形態の変形例４として、照明装置が角型のシーリングライトであってもよい。変形例４の場合においても、複数の緩衝部材８は、基台における発光部とは反対側の面に設けられており、基台の全周に亘って並んで設けられている。
【００５９】
上記の各変形例に係る照明装置１０においても、本実施形態に係る照明装置１０と同様の効果を奏する。
【００６０】
（まとめ）
以上説明したように、第１の態様に係る照明装置（１０）は、基台（１）と、複数の緩衝部材（８）と、を備える。基台（１）は、発光部（２）を支持する。複数の緩衝部材（８）は、基台（１）における発光部（２）とは反対側の面に設けられている。複数の緩衝部材（８）は、基台（１）の全周に亘って並んで設けられている。
【００６１】
第１の態様に係る照明装置（１０）では、複数の緩衝部材（８）が基台（１）の全周に亘って並んで設けられている。これにより、照明装置（１０）が造営材に設置された際に、基台（１）と造営材との間に複数の緩衝部材（８）が挟み込まれるので、基台（１）と造営材との間の隙間が見えにくくなる。その結果、緩衝部材（８）と隙間との両方が見えることを低減させることができるので、見栄えをよくすることができる。
【００６２】
第２の態様に係る照明装置（１０）は、第１の態様において、複数の緩衝部材（８）の各々は、隣接する緩衝部材（８）と隙間（Ｓ２）を空けて位置する。
【００６３】
第２の態様に係る照明装置（１０）によれば、照明装置（１０）が造営材に設置された際に、各緩衝部材（８）が圧縮されて基台（１）の周方向に延びるので、基台（１）と造営材との間の隙間をより見えにくくなる。
【００６４】
第３の態様に係る照明装置（１０）では、第２の態様において、複数の緩衝部材（８）の各々は、基台（１）の周方向における両端に第１端面（８１）及び第２端面（８２）を有する。第１端面（８１）及び第２端面（８２）の少なくとも一方は傾斜面である。
【００６５】
第３の態様に係る照明装置（１０）によれば、各緩衝部材（８）の第１端面（８１）及び第２端面（８２）の少なくとも一方が傾斜面であることによって、照明装置（１０）を側方から見たときに、基台（１）と造営材との間の隙間が更に見えにくくなる。
【００６６】
第４の態様に係る照明装置（１０）では、第３の態様において、第１端面（８１）と第２端面（８２）とがなす角度は９０度である。
【００６７】
第４の態様に係る照明装置（１０）によれば、第１端面（８１）と第２端面（８２）とがなす角度が９０度であることによって、任意の大きさの緩衝材から緩衝部材（８）の取り数を増やすことができる。
【００６８】
第５の態様に係る照明装置（１０）では、第３又は４の態様において、隣接する２つの緩衝部材（８）のうちの一方の緩衝部材（８）の第１端面（８１）と他方の緩衝部材（８）の第２端面（８２）とは平行である。
【００６９】
第５の態様に係る照明装置（１０）では、隣接する２つの緩衝部材（８）のうちの一方の緩衝部材（８）の第１端面（８１）と他方の緩衝部材（８）の第２端面（８２）とが平行である。これにより、隣接する２つの緩衝部材（８）間において、場所によって緩衝部材（８）同士が接触したり、間隔のばらつきを低減させたりすることができる。
【００７０】
第６の態様に係る照明装置（１０）では、第１〜５の態様のいずれか１つにおいて、以下のように、複数の緩衝部材（８）の各々において、基台（１）の周方向の一端側における内側面（８３）と外側面（８４）との間の距離（Ｄ１）は、基台（１）の周方向の他端側における内側面（８３）と外側面（８４）との間の距離（Ｄ２）よりも短い。
【００７１】
第６の態様に係る照明装置（１０）では、各緩衝部材（８）において、基台（１）の周方向の一端側における内側面（８３）と外側面（８４）との間の距離（Ｄ１）が、基台（１）の周方向の他端側における内側面（８３）と外側面（８４）との間の距離（Ｄ２）よりも短い。これにより、上記の２つの距離が同じである場合とは異なり、例えば、各緩衝部材（８）において内側面（８３）の曲率半径と外側面（８４）の曲率半径とを同じにすることができるので、緩衝部材（８）の取り数を増やすことができる。
【符号の説明】
【００７２】
１０  照明装置
１  基台
２  発光部
８  緩衝部材
８１  第１端面
８２  第２端面
８３  内側面
８４  外側面
Ｄ１，Ｄ２  距離
Ｓ２  隙間
θ１  角度
【図１】
2020047391.tif 000003
【図２】
2020047391.tif 000004
【図３】
2020047391.tif 000005
【図４】
2020047391.tif 000006
【図５】
2020047391.tif 000007